(57)【特許請求の範囲】
【請求項１】
トレッド部中央領域で周方向に延びる少なくとも１本の主溝と、該中央領域を両側から挟むトレッド部両側領域で周方向に延びる１本宛の副溝と、主溝から副溝を経てトレッド部端まで末広がり状に延びてトレッド部端に開口する複数本宛の傾斜溝とを有し、これら各溝が区画形成するブロックを有する方向性トレッドパターンを備える、回転方向指定の空気入りタイヤにおいて、
タイヤ赤道面に最も近い中央ブロックは、タイヤの回転踏込み側で副溝に対面する隅部が副溝と傾斜溝との連結部内に先細り状に突出する岬状陸部を有し、
該岬状陸部は、上記連結部の溝底からの高さと周方向長さとの双方がトレッド部端に向け漸減する表面形状を有することを特徴とする空気入りタイヤ。
【請求項２】
岬状陸部は、その少なくとも先端部が傾斜溝との連結部における副溝をトレッド部端に向け迂回させる構成を有する請求項１に記載したタイヤ。
【請求項３】
タイヤ回転方向と逆方向でタイヤ赤道面と直交する平面に岬状陸部を投影した図形にて、該岬状陸部に最も近い副溝外側壁面と交わる岬状陸部表面は、副溝の溝深さの５０％以上の高さを有する請求項１又は２に記載したタイヤ。
【請求項４】
岬状陸部は、三角形状の表面を有する請求項１〜３のいずれか一項に記載したタイヤ。
【請求項５】
中央ブロックは、傾斜溝と主溝との連結部に向かい下り勾配の傾斜曲面を表面にもつ端部を有する請求項１〜４のいずれか一項に記載したタイヤ。
【請求項６】
トレッド部中央領域は、主溝に隣接し周方向に連続して延びるリブを備える請求項１〜５のいずれか一項に記載したタイヤ。
【発明の詳細な説明】
【０００１】
【発明の属する技術分野】
この発明は、空気入りタイヤ、より詳細には、乗用車やサーキットを走行するレーシングカーなどの比較的小型の車両の使途に供し、方向性をもつトレッドパターンを備え、運動性能に優れる高性能な回転方向指定の空気入りラジアルタイヤに関し、特に、パターンノイズなどの他の性能を優位に保持した上で、耐ハイドロプレーニング性を含むウエット操縦安定性能とドライ操縦安定性能との両性能を同時に向上させた空気入りタイヤに関する。
【０００２】
【従来の技術】
従来の運動性能に優れる高性能タイヤには、特に、優れたウエット操縦安定性能が求められるため、以下の手段が適用されている。すなわち、
（１）例えば、図４のトレッドパターン展開図に示すように、直状の周方向主溝２１、２２及びタイヤ赤道面Ｅを通る幅狭の直状周方向副溝２３と、主溝２１から中央リブへの切込み溝２４と、主溝２１から主溝２２に開口する傾斜溝２５及び主溝２２からトレッド部端ＴＥに開口する傾斜溝２６とを組合わせ、傾斜溝２５、２６はタイヤ赤道面Ｅ寄り位置から開口端に向け末広がり状に傾斜させ、これら主溝２１、２１及び傾斜溝２５、２６が区画形成するブロック２７、２８を有する方向性トレッドパターンの適用。
【０００３】
（２）ウエット路面走行時の耐ハイドロプレーニング性を向上させるため、主溝２１〜２３の少なくともいずれか一つの溝幅を広げるか、又は傾斜溝２５、２６の配列本数を増すか又は溝幅を広げて、ネガティブ比（踏面全体面積に対する溝面積の比率）を増加させる手段の適用。
（３）トレッド部接地面に入る水を、周方向溝２１〜２３により、前後方向（進行方向）に排水し、傾斜溝２５、２６により横方向に排水する作用を狙い、特に、横方向排水をより一層有利にするため、図４に示す緩傾斜溝２５、２６とは異なり、特に、トレッド部中央領域にて、傾斜角度をタイヤ赤道面Ｅに対し小さく設定する急傾斜溝手段の適用。
【０００４】
また、その一方で、高性能タイヤには優れたドライ操縦安定性能も求められるため、ウエット操縦安定性能向上も兼ね、以下の手段を適用する。すなわち、
（４）ブロック２７、２８の剛性を高める必要から、傾斜溝２５、２６の一部に底上部（プラットフォーム）を設ける手段、
（５）特に、サーキット走行で代表されるような、急速な操舵における操縦安定性能向上のためショルダブロック２８の横方向剛性を高める手段などである。
【０００５】
【発明が解決しようとする課題】
しかし、上述した各種の手段は、ウエット操縦安定性能及び他の性能の観点から次に述べる不具合を引き起こす。すなわち、
（ａ）前後方向排水のための周方向主溝２１、２２と、横方向排水のための緩傾斜溝２５、２６又は急傾斜溝とに代表されるように、赤道面Ｅに対し互いに傾斜角度が異なる周方向主溝と傾斜溝との連結部は、それが溝の分岐、合流の別なく、それぞれの溝から流れ込む水を互いに衝突させる。その結果、連結部は、水流に乱れを生じさせ、気泡を発生させて排水性を著しく損ない、耐ハイドロプレーニング性を低下させる。
【０００６】
（ｂ）ブロック剛性を高めるため急傾斜溝に適用する底上部は、傾斜溝の水流に対し堰を形成し、排水性を損なう反面、底上部を除けばブロック剛性が低下し、操縦安定性能を損なう。
【０００７】
（ｃ）図４に示すように、踏面の１／４点、すなわちタイヤ赤道面Ｅから踏面展開幅の１／４幅離れた位置の近傍に位置する主溝２２は、コーナリング中に主溝２２を境としてトレッド部がバックリング現象を引き起こし、その結果、ドライ、ウエット双方での操縦安定性能を低下させる。
【０００８】
（ｄ）途中に他の溝の連結部をもたない急傾斜溝で形成するブロックは、接地性が低下し、乗心地性能や耐偏摩耗性の低下を招き易い。
【０００９】
（ｅ）ネガティブ比の増加は、パターンノイズレベルの上昇、ブロック剛性の減少による操縦安定性能の低下、偏摩耗の発生、耐摩耗性の低下など、多くに不具合をもたらす。
【００１０】
そこで、本出願人は、耐偏摩耗性た耐摩耗性を優位に保持した上で、上述した、耐ハイドロプレーニング性を含むウエット操縦安定性能、ドライ操縦安定性能及びパターンノイズのそれぞれを共に有利に向上させるため、先に、特開平９−２０２５号公報に下記の空気入りタイヤを提案している。
【００１１】
すなわち、トレッド部中央領域に設けた一対の周方向主溝からトレッド部端の延び、周方向主溝に対して同一方向に傾斜してトレッド部接地端に開口する複数本の傾斜主溝を設け例えば空気入りタイヤにおいて、各傾斜主溝を、中央領域の近傍部分に位置する急傾斜主溝と、トレッド部接地端の近傍部分に位置する緩傾斜部分とで構成し、急傾斜部分のトレッド部周方向に対する傾斜角度を０〜３０°、緩傾斜部分の同様傾斜角度を７０〜９０°とし、周方向主溝と傾斜主溝とで区画形成する陸部の、中央領域側の先細り端部分の表面高さを、先端側に向けて滑らかに低減させるものである。
【００１２】
この発明は、上述の先の提案に係る空気入りタイヤにさらに改良を加えたものであり、それは、特に、コーナリング中の排水性をより一層高めることを主眼とするものであり、その目的は、低パターンノイズなどたの性能を優位に保持しながら、車両の直進中はもとよりコーナリング中も含めた全走行形態の下で、耐ハイドロプレーニング性を含むウエット操縦安定性能をドライ操縦安定性能と共に一層向上させた空気入りタイヤを提供することにある。
【００１３】
【課題を解決するための手段】
上記目的を達成するため、この発明の請求項１に記載した発明は、トレッド部中央領域で周方向に延びる少なくとも１本の主溝と、該中央領域を両側から挟むトレッド部両側領域で周方向に延びる１本宛の副溝と、主溝から副溝を経てトレッド部端まで末広がり状に延びてトレッド部端に開口する複数本宛の傾斜溝とを有し、これら各溝が区画形成するブロックを有する方向性トレッドパターンを備える、回転方向指定の空気入りタイヤにおいて、
タイヤ赤道面に最も近い中央ブロックは、タイヤの回転踏込み側で副溝に対面する隅部が副溝と傾斜溝との連結部内に先細り状に突出する岬状陸部を有し、
該岬状陸部は、上記連結部の溝底からの高さと周方向長さとの双方がトレッド部端に向け漸減する表面形状を有することを特徴とする空気入りタイヤである。
【００１４】
請求項１に記載した発明に関し、請求項２に記載した発明のように、岬状陸部は、その少なくとも先端部が傾斜溝との連結部における副溝をトレッド部端に向け迂回させる構成を有し、請求項１、２に記載した発明に関し、請求項３に記載した発明のように、タイヤ回転方向と逆方向でタイヤ赤道面と直交する平面に岬状陸部を投影した図形にて、該岬状陸部に最も近い副溝外側壁面と交わる岬状陸部表面は、副溝の溝深さの５０％以上の高さを有し、請求項１〜３に記載した発明に関し、請求項４に記載した発明のように、岬状陸部は、三角形状の表面を有するのが適合する。
【００１５】
また、請求項１〜４に記載した発明に関し、請求項５に記載した発明のように、中央ブロックは、傾斜溝と主溝との連結部に向かい下り勾配の傾斜曲面を表面にもつ端部を有する。
【００１６】
また、請求項１〜５に記載した発明に関し、請求項６に記載した発明のように、トレッド部中央領域は、主溝に隣接し周方向に連続して延びるリブを備える。
【００１７】
【発明の実施の形態】
以下、この発明の実施の形態の一例を図１〜図３に基づき説明する。
図１は、この発明の空気入りタイヤのトレッドパターン展開図であり、
図２は、この発明の別の空気入りタイヤのトレッドパターン展開図であり、
図３は、図１及び図２に示すIII − III線に沿う拡大断面図である。
【００１８】
図１及び図２において、空気入りタイヤ（以下タイヤという）のトレッド部１は、その中央領域Ｒc で周方向に延びる少なくとも１本、図示例は２本の主溝２と、中央領域Ｒc を両側から挟む両側領域Ｒs で周方向に延びる１本宛の副溝３とを備える。副溝３は、主溝２に比しより狭い溝幅を有し、トレッド部１の踏面の１／４点を通る円周線近傍に配置する。
【００１９】
ここに、中央領域Ｒc は、トレッドパターン展開幅ＴＷの１／８幅をタイヤ赤道面Ｅの両側に振り分けた幅の領域を指す。展開幅ＴＷは、両トレッド部端ＴＥ間を結ぶ距離である。１／４点は、幅ＴＷの１／４幅位置である。また、トレッド部端ＴＥは、JATOMA YEAR BOOK(1999)の一般情報の章に記載した用語の定義中の接地幅の両端に相当する位置であり、よってこれを二点鎖線にて示す。なお、接地幅測定時の規定の空気圧は、所定タイヤの最大負荷能力に対応する最高空気圧を適用するものとする。
【００２０】
また、トレッド部１は、タイヤ赤道面Ｅを挟み、主溝２から分岐し副溝３を経てトレッド部端ＴＥまで末広がり状に延びる複数本の傾斜溝４を有する。換言すれば、傾斜溝４は、タイヤ赤道面Ｅ両側でタイヤ回転方向に対し矢筈状に方向性をもって延びる。傾斜溝４はトレッド部端ＴＥに開口する。なお、トレッドパターン展開図の両端の実線はパターン終端縁を示し、この縁はトレッド部１の側面部、すなわちバットレス部に位置する。
【００２１】
２本の主溝２と、２本の副溝３と、複数本宛の傾斜溝４とは、トレッド部１に多数個の中央ブロック５を区画形成し、各副溝３と各傾斜溝４とは多数個のショルダブロック６を区画形成する。このタイヤは回転方向指定とし、各ブロック５、６は、末広がり状傾斜溝４によりタイヤ回転方向（矢印にて示す方向）に接地踏込み先端部を有する傾斜配列ブロックである。
【００２２】
ここに、タイヤ赤道面Ｅに最も近い中央ブロック５につき、タイヤの回転踏込み側で副溝３に対面する隅部が、副溝３と傾斜溝４との連結部Ａ（丸印内に示す）内に先細り状に突出する岬状陸部５Ａ（斜線を付して示す）を有するものとする。なお、同一中央ブロック５内の蹴出し側隅部は、岬状陸部５Ａのタイヤ回転方向後方に位置する。
【００２３】
また、図１〜図３を合わせ参照し、岬状陸部５Ａは、副溝３と傾斜溝４との連結部Ａの溝底３b 、４b からの高さｈと、周方向長さｄとの双方がトレッド部１端ＴＥに向け漸減する表面５Ａs 形状を有する。なお、図３に示す副溝３の溝底３b 及び傾斜溝４の溝底４b は同一曲面上に位置する。
【００２４】
以上述べた構成を有するトレッドパターンを備えるタイヤは、以下の（１）〜（５）に述べる作用効果を有する。すなわち、
（１）トレッド部１の中央領域Ｒc に周方向主溝２を設け、主溝２から分岐してトレッド部１端ＴＥに開口する複数本の連続傾斜溝４を末広がり状に方向性をもたせて配置することにより、タイヤの荷重負荷転動の下で、トレッド部１の踏面内に入り込む水の流線と、主溝２及び傾斜溝４の配置とが互いに重なり合うので、基本として排水性に優れる。
【００２５】
（２）しかし、傾斜溝４のみで区画形成する陸部を、主溝２位置からトレッド部１端ＴＥまで一つの連続したブロックとすると、この陸部は均一な接地を得ることができず、偏摩耗を発生する。この不都合を回避するには、トレッド部１の周方向に副溝３を設け、中央ブロック５とショルダブロック６とを区画形成すれば良い。しかも、１／４点を通る円周線近傍に副溝３を配設することで十分に大きなショルダブロック剛性を得ることができ、これによりコーナリング時の操縦安定性能を優位に確保することができる。
【００２６】
（３）しかし、副溝３の配設に伴い、副溝３と傾斜溝４のと連結部Ａにて、それぞれの溝内を流れる流水が衝突し、流れが乱され、気泡が生じ、その結果排水性が損なわれる不都合が生じることは前述の通りである。そこで、連結部Ａ内に先細り状に突出する岬状陸部５Ａを中央ブロック５に設けることでこの不都合を完全に回避することができる。
【００２７】
すなわち、傾斜溝４内の水流は岬状陸部５Ａの踏込み側の壁面に沿い円滑に流れ、この流れの勢いは副溝３の水流の勢いより勝り、よって、傾斜溝４内の水流は淀みなく円滑にトレッド部１端ＴＥの開口部からタイヤ外部に排出することができ、排水性が大幅に向上する。いうなれば、傾斜溝４側の岬状陸部５Ａ壁面は、傾斜溝４の水流の案内役を果たす。
【００２８】
（４）さらに、岬状陸部５Ａは、その高さｈがトレッド部１端ＴＥに向け漸減する表面５Ａs 形状を有することにより、中央ブロック５の表面を流れる水を岬状陸部５Ａを介し連結部Ａの溝内に円滑に排水することができる。また、その周方向長さｄがトレッド部１端ＴＥに向け漸減する表面５Ａs 形状を有することにより、中央ブロック５表面下の流水を、岬状陸部５Ａを介し連結部Ａとその近傍における副溝３と傾斜溝４とに円滑に振り分けることができる。
【００２９】
ここに、岬状陸部５Ａの周方向長さｄが漸減しないと、連結部Ａにおいて、ショルダブロック６の踏込み側端部及び蹴出し側端部それぞれの間隔を大幅に広げることが余儀なくされ、結局、連結部Ａの溝容積が増加し、これによりパターンノイズレベルが上昇する不具合が生じることになる。また、岬状陸部５Ａの周方向長さｄを漸減させても、極端には先鋭端としても、高さｈが漸減するので、岬状陸部５Ａの剛性が低下することはなく、操縦安定性能や耐偏摩耗性に悪影響を及ぼすことはない。
【００３０】
（５）副溝３を１／４点を通る円周線近傍に位置させても、連結部Ａに岬状陸部５Ａを突出させることで、副溝３位置におけるトレッド部１幅方向の曲げ剛性を向上させるので、車両のコーナリング時における副溝３のバックリング現象を抑制することができる、結局、岬状陸部５Ａはコーナリング時の操縦安定性能の向上にも寄与する。
【００３１】
以上述べたように、トレッド部１を備えるタイヤは、トレッド部１の溝容積を徒に増加させることなく、直進走行時とコーナリング走行時とを合わせ、排水性が向上し、それ故に耐ハイドロプレーニング性が向上し、かつ、十分な操縦安定性能を発揮することができる。また、偏摩耗発生のうれいなく、低パターンノイズレベルを実現することができる。
【００３２】
上記の副溝３の曲げ剛性向上に関し、より実際上は、岬状陸部５Ａは、その少なくともその先端部が、傾斜溝４との連結部Ａにおける副溝３をトレッド部１端ＴＥに向け迂回させる構成を有する。つまり、岬状陸部５Ａの少なくとも先端部と副溝３とがタイヤ軸線方向で互いにオーバーラップするような相互配置とするということである。
【００３３】
また、実際上、タイヤ回転方向と逆方向でタイヤ赤道面Ｅと直交する平面に岬状陸部５Ａを投影した図形にて、この投影岬状陸部５Ａに最も近い副溝３外側壁面と交わる岬状陸部５Ａの表面５Ａｓは、副溝３の溝深さの５０％以上の高さｈe を有するのが適合する。図３に示すように、高さｈe は副溝３の溝底３b から測るものとする。高さｈe が５０％未満では副溝３の曲げ剛性を十分に確保できない不都合が生じる。岬状陸部５Ａの先端５Ａe は、副溝３の溝底３b に位置すること、すなわち高さ０ｍｍとすることを可とする。
【００３４】
また、岬状陸部５Ａは、三角形状の表面５Ａs を有するのが、先に述べた作用効果の上で適合する。
【００３５】
以上述べた岬状陸部５Ａの他に、中央ブロック５は、傾斜溝４と主溝２との連結部Ｂに向かい下り勾配の傾斜曲面を表面にもつ踏込み先端部５Ｂ（斜線を付して示す）を有する。中央ブロック５がこの先端部５Ｂを備えることにより、連結部Ｂに入り込む水を主溝２と傾斜溝４に分流し、中央ブロック５表面に入り込む水の量を少なくし、排水性を向上させ、耐ハイドロプレーニング性を向上させることができる。また幅が狭い先端部５Ｂの剛性が向上するので偏摩耗発生のうれいはない。
【００３６】
上記同様な作用効果を得るため、先端部５Ｂのタイヤ回転方向前方の中央ブロック５のほぼ中間の蹴出し側陸部部分５Ｃ（斜線を付して示す）に傾斜溝４に向かい下り勾配の傾斜曲面を付す。これにより、上記同様に、中央ブロック５表面に入り込んだ水を傾斜溝４に流し込み易くし、中央ブロック５表面下の水の量を減少させ、耐ハイドロプレーニング性を向上させることができる。
【００３７】
また、トレッド部１の中央領域Ｒc は、２本の主溝２に隣接し周方向に連続して延びるリブ７を備える。図示例のリブ７は、タイヤ赤道面Ｅの両側に等分な幅を有する。このリブ７もまた、主溝２に向かい先細り状に延びる岬状陸部７Ａを備え、岬状陸部７Ａは先端に向かい下り勾配の傾斜曲面を有する。これにより、リブ７下に入り込む水は、有効に主溝２内に流入し、耐ハイドロプレーニング性向上に寄与する。
【００３８】
なお、主溝２近傍部分に位置する傾斜溝３は急傾斜溝とし、急傾斜溝部分のタイヤ赤道面Ｅに対する傾斜角度は０〜３０°の範囲内とし、副溝３よりトレッド部１端ＴＥまでの傾斜溝３は緩傾斜溝とし、緩傾斜溝部分の同様傾斜角度を７０〜９０°の範囲内とするのが好ましい。
【００３９】
【実施例】
乗用車用ラジアルプライタイヤで、サイズが２０５／５５Ｒ１６であり、トレッド部１の展開幅ＴＷは１７０ｍｍである。実施例１のタイヤのトレッドパターンは図１に従い、実施例２のタイヤは図２に従う。実施例１、２のタイヤの性能評価のため、図４に示すトレッドパターンを備える他は全て各実施例に合わせた従来例タイヤを準備した。各トレッドパターンの諸元を実施例１は表１に、実施例２は表２に、そして従来例は表３にそれぞれ示す。なお、表１〜表３の諸元の角度は、各溝のタイヤ赤道面Ｅに対する傾斜角度である。
【００４０】
【表１】
0004275283.tif 000002
【００４１】
【表２】
0004275283.tif 000003
【００４２】
【表３】
0004275283.tif 000004
【００４３】
実施例１、２のタイヤ及び従来例タイヤを、JATMA YEAR BOOK(1999) が定める適用リムのうち標準リム６1/2JJ に組付け、これに２３０ｋＰａの内圧を充てんし、乗員２名の乗用車の４輪に装着し、下記の４種類のテストを実施した。
【００４４】
（１）直線路走行時におけるハイドロプレーニング性能テスト：
水深５ｍｍのウエット路面を走行するときのハイドロプレーニング発生限界速度のフィーリング評価。
（２）曲線路走行時におけるハイドロプレーニング性能テスト：
旋回半径８０ｍの水深５ｍｍのウエット路面を走行するときのハイドロプレーニング発生限界の横方向加速度の計測。
（３）ドライ操縦安定性能テスト：
ドライ状態のサーキットコースを各種走行モードにてスポーツ走行した時のテストドライバのフィーリング評価。
（４）パターンノイズテスト：
直線平滑路面を速度１００km/hから車両を惰行させたときの車内音のフィーリング評価。
以上のテスト結果は、従来例タイヤを１００とする指数にてあらわし、これを表４に記載した。値は大なるほど良い。
【００４５】
【表４】
0004275283.tif 000005
【００４６】
表４に示す結果から、実施例１、２のタイヤは、従来例タイヤ対比、パターンノイズは従来レベルを保持した上で、水深が比較的深いウエット路面における直進時及びコーナリング時双方の耐ハイドロプレーニング性が格段に向上していること、特に、事故に繋がり易い曲線路走行における耐ハイドロプレーニング性は直進時のそれに比し向上度合いが著しいこと、そして、ドライ操縦安定性能も向上していることが分かる。
【００４７】
【発明の効果】
この発明の請求項１〜６に記載した発明によれば、パターンノイズレベルや耐偏摩耗性などの諸性能を優位に保持した上で、車両の直進時及び旋回時の排水性を向上させ、あらゆる走行形態下での耐ハイドロプレーニング性が向上し、同時に、操縦安定性能を向上させることができる空気入りタイヤを提供することができる。
【図面の簡単な説明】
【図１】  この発明の空気入りタイヤのトレッドパターン展開図である。
【図２】  この発明の別の空気入りタイヤのトレッドパターン展開図である。
【図３】  図１及び図２のIII − III線に沿う拡大断面図である。
【図４】  従来タイヤのトレッドパターン展開図である。
【符号の説明】
１  トレッド部
２  主溝
３  副溝
３b   副溝底
４  傾斜溝
４b   傾斜溝底
５  中央ブロック
５Ａ  岬状陸部
５Ａs   岬状陸部表面
５Ａe   岬状陸部先端
５Ｂ    踏込み先端部
５Ｃ  蹴出し側陸部部分
６  ショルダブロック
７  リブ
７Ａ  リブの岬状陸部
Ｅ  タイヤ赤道面
ＴＷ  トレッドパターン展開幅
Ｒc   中央領域
Ｒs   両側領域
ＴＥ  トレッド部端
Ａ、Ｂ  溝連結部
ｈ  岬状陸部高さ
ｈe 岬状陸部途中高さ
ｄ  岬状陸部周方向長さ
【図１】
0004275283.tif 000006
【図２】
0004275283.tif 000007
【図３】
0004275283.tif 000008
【図４】
0004275283.tif 000009